【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
トランス−１−クロロ−３，３，３−トリフルオロプロペン（トランス−ＨＦＯ−１２３３ｚｄ）及びトランス−１，３，３，３−テトラフルオロプロペン（トランス−ＨＦＯ−１２３４ｚｅ）から実質的に構成される二元の共沸混合物又は共沸混合物様の混合物を含む組成物。
【請求項２】
共沸混合物又は共沸混合物様の混合物が、約８０〜約９９．９重量％のトランス−ＨＦＯ−１２３４ｚｅ及び約０．１〜約２０重量％のトランス−ＨＦＯ−１２３３ｚｄから実質的に構成される、請求項１に記載の組成物。
【請求項３】
共沸混合物又は共沸混合物様の混合物が、約８３〜約９９．９重量％のトランス−ＨＦＯ−１２３４ｚｅ及び約０．１〜約１７重量％のトランス−ＨＦＯ−１２３３ｚｄから実質的に構成される、請求項１に記載の組成物。
【請求項４】
共沸混合物又は共沸混合物様の混合物が、約９７〜約９９．７重量％のトランス−ＨＦＯ−１２３４ｚｅ及び約０．３〜約３重量％のトランス−ＨＦＯ−１２３３ｚｄから実質的に構成される、請求項１に記載の組成物。
【請求項５】
共沸混合物又は共沸混合物様の混合物が、雰囲気圧力において約−１８．５±１℃の沸点を有する、請求項１に記載の組成物。
【請求項６】
潤滑剤、安定剤、金属不動態化剤、腐食抑制剤、可燃性抑制剤、共発泡剤、共溶媒、活性成分、噴霧される材料、溶媒、及びこれらの組み合わせから選択される少なくとも１種類の更なる成分を更に含む、請求項１〜５のいずれかに記載の組成物。
【請求項７】
１０００未満の地球温暖化係数（ＧＷＰ）を有する、請求項１〜５のいずれかに記載の組成物。
【請求項８】
５００未満の地球温暖化係数（ＧＷＰ）を有する、請求項１〜５のいずれかに記載の組成物。
【請求項９】
１５０未満の地球温暖化係数（ＧＷＰ）を有する、請求項１〜５のいずれかに記載の組成物。
【請求項１０】
請求項１〜５のいずれかに記載の二元の共沸混合物又は共沸混合物様の混合物を含む冷媒を含む熱伝達組成物。
【請求項１１】
冷媒が少なくとも５０重量％の請求項１〜５のいずれかに記載の二元の共沸混合物又は共沸混合物様の混合物を含む、請求項１０に記載の熱伝達組成物。
【請求項１２】
冷媒が少なくとも７０重量％の請求項１〜５のいずれかに記載の二元の共沸混合物又は共沸混合物様の混合物を含む、請求項１０に記載の熱伝達組成物。
【請求項１３】
前記熱伝達組成物が、ジフルオロメタン（ＨＦＣ−３２）、ペンタフルオロエタン（ＨＦＣ−１２５）、１，１，２，２−テトラフルオロエタン（ＨＦＣ−１３４）、１，１，１，２−テトラフルオロエタン（ＨＦＣ−１３４ａ）、ジフルオロエタン（ＨＦＣ−１５２ａ）、１，１，１，２，３，３，３−ヘプタフルオロプロパン（ＨＦＣ−２２７ｅａ）、１，１，１，３，３，３−ヘキサフルオロプロパン（ＨＦＣ−２３６ｆａ）、１，１，１，３，３−ペンタフルオロプロパン（ＨＦＣ−２４５ｆａ）、１，１，１，３，３−ペンタフルオロブタン（ＨＦＣ−３６５ｍｆｃ）、水またはＣＯ２の１以上をさらに含む、請求項１０〜１２のいずれかに記載の熱伝達組成物。
【請求項１４】
冷媒が請求項１〜５のいずれかに記載の二元の共沸混合物又は共沸混合物様の混合物から実質的に構成される、請求項１０に記載の熱伝達組成物。
【請求項１５】
組成物がポリオールエステル、ポリアルキレングリコール、ＰＡＧ油、シリコーン油、鉱油、アルキルベンゼン及びポリ(α−オレフィン)から選ばれる潤滑剤をさらに含む、請求項１０〜１４のいずれかに記載の熱伝達組成物。
【請求項１６】
潤滑剤が熱伝達組成物の３０〜５０重量％の量で提供される、請求項１５に記載の熱伝達組成物。
【請求項１７】
熱伝達組成物がＡＳＴＭ−Ｅ−６８１によって測定して空気中ですべての割合において不燃性である、請求項１０〜１６のいずれかに記載の熱伝達組成物。
【請求項１８】
空調機、電気冷蔵庫、チラー（遠心圧縮機を用いるチラーを含む）、輸送冷却システム、自動車用空調システム及び装置、商業用冷却システム及び装置、住宅用冷蔵庫及び冷凍庫、一般的な空調システム、及びヒートポンプにおいて使用するための請求項１０〜１７のいずれかに記載の熱伝達組成物。
【請求項１９】
ＨＦＣ−１３４ａ、ＣＦＣ−１２、ＨＣＦＣ−２２、ＨＦＣ−１５２ａ、Ｒ−４０４Ａ、Ｒ−４０７Ｃ、Ｒ−４１０Ａ、Ｒ−５００、Ｒ−５０７Ａ、Ｒ−４０７Ａ又はＲ−４０７Ｄから選ばれる冷媒用に設計されている冷却システムにおける代替冷媒としての、請求項１〜５のいずれかに記載の二元の共沸混合物又は共沸混合物様の混合物を含む冷媒の使用。
【請求項２０】
冷却システムの能力が、冷媒の代替前の冷却システムの少なくとも９５％の能力である、請求項１９に記載の使用。
【請求項２１】
請求項１〜５のいずれかに記載の二元の共沸混合物又は共沸混合物様の混合物を含む溶媒組成物。
【請求項２２】
蒸気脱脂、冷間洗浄又は拭取の方法において用いるための請求項２１に記載の溶媒組成物。
【請求項２３】
洗浄組成物である請求項２１または２２に記載の溶媒組成物。
【請求項２４】
エアゾールである請求項２１〜２３のいずれかに記載の溶媒組成物。
【請求項２５】
請求項１〜５のいずれかに記載の二元の共沸混合物又は共沸混合物様の混合物を含む噴霧可能な組成物。
【請求項２６】
噴霧される材料、並びに場合によっては不活性成分及び／又は溶媒及び／又は他のエアゾール噴射剤を含む請求項２５に記載の噴霧可能な組成物。
【請求項２７】
噴霧される材料が、脱臭剤、香水、ヘアスプレーのような化粧材料、洗浄溶媒、潤滑剤、殺虫剤、抗ぜんそく薬、鎮痛剤、生物活性物質のような医薬材料から選ばれる、請求項２６に記載の噴霧可能な組成物。
【請求項２８】
請求項１〜５のいずれかに記載の二元の共沸混合物又は共沸混合物様の混合物を含むスプレー式の洗浄剤。
【請求項２９】
請求項１〜５のいずれかに記載の二元の共沸混合物又は共沸混合物様の混合物を含む、喘息や他の慢性閉塞性肺疾患の治療において使用されるための計量式吸入器。
【請求項３０】
請求項１〜５のいずれかに記載の二元の共沸混合物又は共沸混合物様の混合物を含む発泡剤。
【請求項３１】
５重量％の請求項１〜５のいずれかに記載の二元の共沸混合物又は共沸混合物様の混合物を含む請求項３０に記載の発泡剤。
【請求項３２】
１５重量％の請求項１〜５のいずれかに記載の二元の共沸混合物又は共沸混合物様の混合物を含む請求項３０に記載の発泡剤。
【請求項３３】
５０重量％の請求項１〜５のいずれかに記載の二元の共沸混合物又は共沸混合物様の混合物を含む請求項３０に記載の発泡剤。
【請求項３４】
１，１，１，２−テトラフルオロエタン（ＨＦＣ−１３４ａ）、１，１−ジフルオロエタン（ＨＦＣ−１５２ａ）、１，１，１，３，３−ペンタフルオロプロパン（ＨＦＣ−２４５ｆａ）、及び１，１，１，３，３−ペンタフルオロブタン（ＨＦＣ−３６５ｍｆｃ）のようなヒドロフルオロカーボン、プロパン、ブタン、イソブタン、シクロペンタンのような炭化水素、二酸化炭素、塩素化炭化水素、アルコール、エーテル、ケトン、及びこれらの混合物の１以上をさらに含む請求項３０〜３３のいずれかに記載の発泡剤。
【請求項３５】
請求項１〜５のいずれかに記載の二元の共沸混合物又は共沸混合物様の混合物を含む発泡性組成物。
【請求項３６】
請求項１〜５のいずれかに記載の二元の共沸混合物又は共沸混合物様の混合物を含むポリオールプレミックス組成物。
【請求項３７】
熱可塑性ポリマーを含む気泡壁、及び請求項１〜５のいずれかに記載の二元の共沸混合物又は共沸混合物様の混合物を含む気泡ガスを有する熱可塑性フォーム。
【請求項３８】
フォームが独立気泡フォームである、請求項３７に記載のフォーム。
【請求項３９】
熱可塑性ポリマーが、ポリスチレン、ポリエチレン、ポリプロピレン、ポリ塩化ビニル、又はポリエチレンテレフタレートから選ばれる、請求項３７又は３８に記載のフォーム。
【請求項４０】
押出熱可塑性フォームとしての請求項３７に記載のフォーム。
【請求項４１】
熱可塑性ポリマーが、ポリスチレン、ポリエチレン（ＨＤＰＥ、ＬＤＰＥ、ＬＬＤＰＥ）、ポリプロピレン、ポリエチレンテレフタレート、又はエチレン酢酸ビニルである、請求項４０に記載の押出熱可塑性フォーム。
【請求項４２】
熱硬化性ポリマーを含む気泡壁、及び請求項１〜５のいずれかに記載の二元の共沸混合物又は共沸混合物様の混合物を含む気泡ガスを有する熱硬化性フォーム。
【請求項４３】
フォームが独立気泡フォームである、請求項４２に記載のフォーム。
【請求項４４】
熱硬化性ポリマーが、ポリウレタン、ポリイソシアヌレート、フェノール樹脂、又はエポキシ樹脂から選ばれる、請求項４２又は４３に記載のフォーム。
【請求項４５】
トランス−１−クロロ−３，３，３−トリフルオロプロペン（トランス−ＨＦＯ−１２３３ｚｄ）、並びに２，３，３，３−テトラフルオロプロペン（ＨＦＯ−１２３４ｙｆ）又はトランス−１，３，３，３−テトラフルオロプロペン（トランス−ＨＦＯ−１２３４ｚｅ）から実質的に構成される二元の共沸混合物又は共沸混合物様の混合物を含む、潤滑油中における冷媒の溶解度を高めるオイルリターン剤。
【請求項４６】
潤滑油がポリアルキレングリコールである、請求項４５に記載のオイルリターン剤。
【請求項４７】
潤滑油が鉱油である、請求項４５に記載のオイルリターン剤。
【請求項４８】
共沸混合物又は共沸混合物様の混合物が、７８．３〜９９．７重量％のＨＦＯ−１２３４ｙｆ及び０．３〜２１．７重量％のトランス−ＨＦＯ−１２３３ｚｄから構成される、請求項４５〜４７のいずれかに記載のオイルリターン剤。
【請求項４９】
共沸混合物又は共沸混合物様の混合物が、８５〜９９．７重量％のＨＦＯ−１２３４ｙｆ及び０．３〜１５重量％のトランス−ＨＦＯ−１２３３ｚｄから構成される、請求項４５〜４７のいずれかに記載のオイルリターン剤。
【請求項５０】
共沸混合物又は共沸混合物様の混合物が、９０〜９９．７重量％のＨＦＯ−１２３４ｙｆ及び０．３〜１０重量％のトランス−ＨＦＯ−１２３３ｚｄから構成される、請求項４５〜４７のいずれかに記載のオイルリターン剤。
【請求項５１】
共沸混合物又は共沸混合物様の混合物が、約８０〜約９９．９重量％のトランス−ＨＦＯ−１２３４ｚｅ及び約０．１〜約２０重量％のトランス−ＨＦＯ−１２３３ｚｄから実質的に構成される、請求項４５〜４７のいずれかに記載のオイルリターン剤。
【請求項５２】
共沸混合物又は共沸混合物様の混合物が、約８３〜約９９．９重量％のトランス−ＨＦＯ−１２３４ｚｅ及び約０．１〜約１７重量％のトランス−ＨＦＯ−１２３３ｚｄから実質的に構成される、請求項４５〜４７のいずれかに記載のオイルリターン剤。
【請求項５３】
共沸混合物又は共沸混合物様の混合物が、約９７〜約９９．７重量％のトランス−ＨＦＯ−１２３４ｚｅ及び約０．３〜約３重量％のトランス−ＨＦＯ−１２３３ｚｄから実質的に構成される、請求項４５〜４７のいずれかに記載のオイルリターン剤。
【請求項５４】
トランス−１−クロロ−３，３，３−トリフルオロプロペン（トランス−ＨＦＯ−１２３３ｚｄ）、並びに２，３，３，３−テトラフルオロプロペン（ＨＦＯ−１２３４ｙｆ）又はトランス−１，３，３，３−テトラフルオロプロペン（トランス−ＨＦＯ−１２３４ｚｅ）から実質的に構成される二元の共沸混合物又は共沸混合物様の混合物を含む組成物を使用することを含む、冷却システムにおけるオイルリターンを改善する方法。
【請求項５５】
冷却システムがポリアルキレングリコールを含む、請求項５４に記載の方法。
【請求項５６】
冷却システムが鉱油を含む、請求項５４に記載の方法。
【請求項５７】
共沸混合物又は共沸混合物様の混合物が、７８．３〜９９．７重量％のＨＦＯ−１２３４ｙｆ及び０．３〜２１．７重量％のトランス−ＨＦＯ−１２３３ｚｄから構成される、請求項５４〜５６のいずれかに記載の方法。
【請求項５８】
共沸混合物又は共沸混合物様の混合物が、８５〜９９．７重量％のＨＦＯ−１２３４ｙｆ及び０．３〜１５重量％のトランス−ＨＦＯ−１２３３ｚｄから構成される、請求項５４〜５６のいずれかに記載の方法。
【請求項５９】
共沸混合物又は共沸混合物様の混合物が、９０〜９９．７重量％のＨＦＯ−１２３４ｙｆ及び０．３〜１０重量％のトランス−ＨＦＯ−１２３３ｚｄから構成される、請求項５４〜５６のいずれかに記載の方法。
【請求項６０】
共沸混合物又は共沸混合物様の混合物が、約８０〜約９９．９重量％のトランス−ＨＦＯ−１２３４ｚｅ及び約０．１〜約２０重量％のトランス−ＨＦＯ−１２３３ｚｄから実質的に構成される、請求項５４〜５６のいずれかに記載の方法。
【請求項６１】
共沸混合物又は共沸混合物様の混合物が、約８３〜約９９．９重量％のトランス−ＨＦＯ−１２３４ｚｅ及び約０．１〜約１７重量％のトランス−ＨＦＯ−１２３３ｚｄから実質的に構成される、請求項５４〜５６のいずれかに記載の方法。
【請求項６２】
共沸混合物又は共沸混合物様の混合物が、約９７〜約９９．７重量％のトランス−ＨＦＯ−１２３４ｚｅ及び約０．３〜約３重量％のトランス−ＨＦＯ−１２３３ｚｄから実質的に構成される、請求項５４〜５６のいずれかに記載の方法。